(57)【要約】【課題】本発明は、径寸法の異なる長尺物であっても、安定的に保持することができるドアトリム及び車両用ドアを提供する。【解決手段】パネル状のドアトリム本体４と、該ドアトリム本体の下端部に設けられて、上方に開口して長尺物の先端を保持するためのホルダー８と、を備え、ホルダーが、ドアトリム本体に対向する覆い板４４と、ドアトリム本体と覆い板との間に設けられかつ車両前後方向に対向する前方側壁部８１及び後方側壁部８２と、開口に対向する底壁８３と、を備え、前方側壁部及び後方側壁部が、下方に向かうにしたがって車両前後方向の一方に傾斜する一対の傾斜面８１ａ２、８２ａ２を、車両前後方向に対向する位置に有している。【選択図】図４
2018024394.tif 000002
【特許請求の範囲】
【請求項１】
パネル状のドアトリム本体と、該ドアトリム本体の下端部に設けられて、上方に開口して長尺物の先端を保持するためのホルダーと、を備えたドアトリムであって、
前記ホルダーが、前記ドアトリム本体に対向する覆い板と、前記ドアトリム本体と前記覆い板との間に設けられかつ車両前後方向に対向する前方側壁部及び後方側壁部と、前記開口に対向する底壁と、を備え、
前記前方側壁部及び前記後方側壁部が、下方に向かうにしたがって車両前後方向の一方に傾斜する一対の傾斜面を、車両前後方向に対向する位置に有していることを特徴とするドアトリム。
【請求項２】
前記一対の傾斜面が形成された部分のうち少なくとも一部は、前記前方側壁部と前記後方側壁部との間隔が、下方に向かうに従って幅狭となる幅狭部を構成していることを特徴とする請求項１に記載のドアトリム。
【請求項３】
前記底壁の車両前後方向の寸法が、前記一対の傾斜面の間隔のうち最も狭い部分の寸法よりも大きいことを特徴とする請求項１又は請求項２に記載のドアトリム。
【請求項４】
前記ホルダーの上方には、前記長尺物の軸方向の先端部以外の部位を保持するためのフックが設けられ、
前記フックは、基端が前記ドアトリム本体に連続し、自由端である先端が前記基端の前方又は後方に延び、
前記フックの上方と下方とのうち少なくとも何れか一方に、前記ドアトリム本体から膨出する膨出部が設けられていることを特徴とする請求項１乃至請求項３のうち何れか一項に記載のドアトリム。
【請求項５】
前記前方側壁部と前記後方側壁部との間に、前記ドアトリム本体と前記覆い板とのうち一方から他方に向けて立設するリブが設けられ、
前記リブは、前記前方側壁部に向かうに従って下方に傾斜していることを特徴とする請求項１乃至請求項４のうち何れか一項に記載のドアトリム。
【請求項６】
前記後方側壁部には、車両前後方向に貫通する切欠きが設けられ、
前記リブは、前記切欠きの下端を貫通して設けられていることを特徴とする請求項５に記載のドアトリム。
【請求項７】
前記覆い板には、前記底壁の近傍に、矩形状の貫通孔が形成され、
前記貫通孔の車両前後方向の寸法は、前記底壁の車両前後方向の寸法より大きいとともに、前記貫通孔が形成された部分において、前記前方側壁部と前記後方側壁部との対向寸法は、前記貫通孔の車両前後方向の寸法と略等しい、又は、前記前方側壁部と前記後方側壁部との対向寸法は、前記貫通孔の車両前後方向の寸法より小さいことを特徴とする請求項１乃至請求項６のうち何れか一項に記載のドアトリム。
【請求項８】
前記ドアトリム本体の上端部には、昇降ガラスを突没させるベルトラインが設けられ、
前記ベルトラインよりも上方に延出された遮蔽部材が設けられていることを特徴とする請求項１乃至請求項７のうち何れか一項に記載のドアトリム。
【請求項９】
請求項１乃至請求項８のうち何れか一項に記載のドアトリムと、
該ドアトリムの車室外側に組み付けられるドアパネルと、を備えたことを特徴とする車両用ドア。
【発明の詳細な説明】
【技術分野】
【０００１】
本発明は、ドアトリム、該ドアトリムを備えた車両用ドアに関する。
【背景技術】
【０００２】
自動車等の車内に持ち込んだ傘を支持するための車両のドアが開示されている（例えば、特許文献１参照）。
【０００３】
特許文献１に開示された車両のドアは、その内側にドアトリムが張設されている。ドアトリムには、傘の中間部を支持するための傘支持枠と、傘の先端を支持するための受け皿状の傘受けと、が設けられている。傘支持枠は、コの字形に設けられており、その両脚部が、ドアトリムに設けられた一対の取付孔に挿入されてドアトリムに取り付けられている。
【先行技術文献】
【特許文献】
【０００４】
【特許文献１】特開平０８−２７６７９１号公報
【発明の概要】
【発明が解決しようとする課題】
【０００５】
しかしながら、従来の車両のドアにおいて、傘支持枠は、傘の径寸法に基づいて、車幅方向の寸法や車両前後方向の寸法が設計されているから、例えば、傘よりも小径な杖等の長尺物を傘支持枠に支持させた場合には、傘支持枠内で、長尺物が車両前後方向及び車幅方向に動いてしまう。即ち、従来の車両のドアは、傘よりも径寸法が小さい杖などの小径な長尺物を、車両前後方向及び車幅方向の移動を抑制しつつ、安定して支持することができなかった。
【０００６】
本発明は、径寸法の異なる長尺物であっても、安定的に保持することができるドアトリム及び車両用ドアを提供することを課題とする。
【課題を解決するための手段】
【０００７】
上述した課題を解決するための本発明は、パネル状のドアトリム本体と、該ドアトリム本体の下端部に設けられて、上方に開口して長尺物の先端を保持するためのホルダーと、を備えたドアトリムであって、前記ホルダーが、前記ドアトリム本体に対向する覆い板と、前記ドアトリム本体と前記覆い板との間に設けられかつ車両前後方向に対向する前方側壁部及び後方側壁部と、前記開口に対向する底壁と、を備え、前記前方側壁部及び前記後方側壁部が、下方に向かうにしたがって車両前後方向の一方に傾斜する一対の傾斜面を、車両前後方向に対向する位置に有していることを特徴とするドアトリムである。
【発明の効果】
【０００８】
本発明によれば、径寸法の異なる長尺物であっても、安定的に保持することができる。
【図面の簡単な説明】
【０００９】
【図１】本発明のドアトリムが適用された車両用ドアの一実施例を示す斜視図である。
【図２】図１に示された車両用ドアに、長尺物としての傘が保持された状態を示す平面図である。
【図３】図１中のＩ−Ｉ線に沿う断面図である。
【図４】図１に示された要部を拡大して示す図であり、（Ａ）は、図１中のポケットを外した状態を示す平面図であり、（Ｂ）は、図１中のポケットを透過した状態を示す平面図である。
【図５】（Ａ）は、図２中のＩＩ−ＩＩ線に沿う断面図であり、（Ｂ）は、図２中のＩＩＩＩ−ＩＩＩ線に沿う断面図である。
【図６】（Ａ）は、図２中のＩＶ−ＩＶ線に沿う断面図であり、（Ｂ）は、図２中のＶ−Ｖ線に沿う断面図である。
【図７】図１に示された車両用ドアの変形例を示す断面図である。
【発明を実施するための形態】
【００１０】
請求項１に記載された発明は、パネル状のドアトリム本体と、該ドアトリム本体の下端部に設けられて、上方に開口して長尺物の先端を保持するためのホルダーと、を備えたドアトリムであって、前記ホルダーが、前記ドアトリム本体に対向する覆い板と、前記ドアトリム本体と前記覆い板との間に設けられかつ車両前後方向に対向する前方側壁部及び後方側壁部と、前記開口に対向する底壁と、を備え、前記前方側壁部及び前記後方側壁部が、下方に向かうにしたがって車両前後方向の一方に傾斜する一対の傾斜面を、車両前後方向に対向する位置に有している。これによれば、傘よりも小径な杖等の長尺物を前方側壁部と後方側壁部との間に挿入した場合においても、傾斜面の傾斜に沿って、長尺物の先端が、車両前後方向の一方に誘導されるから、前方側壁部と後方側壁部との間で、長尺物の車両前後方向の移動が抑制される。従って、径寸法の異なる長尺物であっても、安定的に保持することができる。
【実施例】
【００１１】
本発明の一実施例にかかるドアトリムが適用された車両用ドアを図１〜図６を参照して説明する。図１は、本発明のドアトリム１が適用された車両用ドア２の一実施例を示す斜視図である。図１に示された車両用ドア２は、運転席から見て、右側に位置するドアである。なお、図１等に示す「前」は車両用ドア２を含む車両の進行方向であり、「後」は車両の後退方向であり、「右」「左」は、車幅方向であり、「上」「下」は、前後及び左右に直交する鉛直方向である。また、車室外側とは、車幅方向の一方側のことであり、車室内側とは、車幅方向の他方側のことである。
【００１２】
車両用ドア２は、図１に示すように、窓開口２０が形成された車両外装部材である金属製のドアパネル３と、ドアパネル３の窓開口２０の下方の車内側に取り付けられる車両内装部材である合成樹脂製のドアトリム１と、備えて構成されている。窓開口２０には、図示しない窓ガラスが昇降可能に設けられている。窓ガラスは、降下時には、車両用ドア２のベルトライン２Ａ（窓開口２０を構成する窓枠３ａの下端縁）よりも下方に収容される。
【００１３】
ドアパネル３は、図５（Ｂ）、図６（Ｂ）に示すように、インナパネル３１と、インナパネル３１の車室外側に固定された図示しないアウタパネルと、を備えている。インナパネル３１及びアウタパネルは、例えば、板金をプレス成形して所要の形態に形成されたものであり、ドアパネル３は、インナパネル３１にアウタパネルが組み付けられて構成されている。
【００１４】
ドアトリム１は、図１に示すように、ベルトライン２Ａよりも下側に位置する台形状のドアトリム本体４と、前端部材５（遮蔽部材）と、後端部材６と、を有して構成されている。前端部材５は、ドアトリム本体４の前端部において、ベルトライン２Ａより上方に延出されて平面視が三角形状に形成されている。後端部材６は、ドアトリム本体４の後端部において、ベルトライン２Ａより上方に延出されて平面視が台形状に形成されている。前端部材５及び後端部材６は、ドアトリム本体４とは別部品である。さらに、図２にも示すように、ドアトリム１には、傘Ａ（長尺物）を支持するための傘支持構造７が設けられている。傘支持構造７は、ドアトリム１の前端部において、ドアトリム本体４と前端部材５とに亘って設けられている。そして、傘Ａは、軸が略上下方向に沿う格好で、傘支持構造７により支持される。前端部材５は、傘Ａが、傘支持構造７に支持された状態で、傘Ａの柄等を遮蔽するために設けられている。なお、本実施例において、前端部材５は、ドアトリム本体４とは、別部品（別体構成）であるが、前端部材５及びドアトリム本体４は、一体に設けられていてもよい。
【００１５】
ドアトリム本体４は、図１、図２に示すように、その表面から車室内側に張り出したアームレスト４１と、車両用ドア２を開閉するための操作レバー４２と、小物などを一時的に保持するためのポケット４３と、を備えている。アームレスト４１は、ドアトリム本体４の中央部よりやや上方側に、前後方向に延在して設けられている。操作レバー４２は、アームレスト４１の前端部の上方側に設けられている。なお、図２において、ポケット４３を構成する覆い板４４は省略されている。
【００１６】
さらに、ドアトリム本体４には、図４（Ａ）（Ｂ）に示すように、ポケット４３を構成する覆い板４４に設けられた差込み爪（図示しない）を係止する爪受け部４５が設けられている。爪受け部４５は、ドアトリム本体４の適宜な場所に設けられている。図４（Ｂ）において、差込み爪は省略されている。
【００１７】
ポケット４３は、図１、図４（Ａ）（Ｂ）に示すように、上方に開口して、車両用ドア２の下端部において、前端から後端まで全長に設けられている。このポケット４３は、ドアトリム本体４の下端部において、当該ドアトリム本体４と対向する位置に設けられた覆い板４４（図１に示す）と、覆い板４４からドアトリム本体４に向けて突出して設けられた差込み爪）と、を有している。そして、ポケット４３は、差込み爪をドアトリム本体４の爪受け部４５に係止させることで組み立てられている。
【００１８】
傘支持構造７は、図１に示すように、覆い板４４の前端部（以下、板前端部４４Ａと記す）を有するとともに傘Ａの先端を保持するための先端保持部８（ホルダー）と、傘Ａの軸方向の中間部（先端部以外の部位）を保持するためのフック９と、を備えている。傘支持構造７において、ドアトリム本体４は、図４、図５に示すように、その前端部に、傘Ａを設置するための設置面を有している。設置面は、前方に向かうにしたがって、車室内側に湾曲する前側湾曲面４０ａから構成されている。傘Ａは、傘支持構造７に支持された状態で、前側湾曲面４０ａに設置される。これにより、傘Ａの車幅方向の移動の抑制が図られる。
【００１９】
先端保持部８は、図４（Ａ）（Ｂ）に示すように、板前端部４４Ａ（図４（Ｂ）に示す）と、ドアトリム本体４から板前端部４４Ａに向けて立設されかつ前後方向に対向する前方側壁部８１及び仕切り部８２（後方側壁部）と、底壁８３と、を有して構成されている。底壁８３は、ドアトリム本体４から板前端部４４Ａに向けて板状に立設するとともに前方側壁部８１及び仕切り部８２の下端に連続して設けられている。板前端部４４Ａには、図４（Ｂ）に示すように、その下方かつ前方側の隅部に、平面視が略長方形状の取出し孔４６が形成されている。取出し孔４６は、先端保持部８内の小物等を取り出すため又は、先端保持部８内を清掃するために用いられる。なお、本実施例では、前方側壁部８１、仕切り部８２及び底壁８３は、ドアトリム本体４から板前端部４４Ａに向けて立設（突出）して設けられているが、本発明はこれに限定されるものではない。前方側壁部８１、仕切り部８２及び底壁８３は、板前端部４４Ａからドアトリム本体４に向けて立設（突出）して設けられていてもよい。
【００２０】
このような先端保持部８は、図４（Ｂ）、図５（Ａ）（Ｂ）に示すように、傘Ａの先端が挿入可能なように、上方が開口する略筒状の空間を有して構成されている。この空間は、傘Ａの先端部の前後方向及び左右方向（車幅方向）の移動を抑制するための空間である。また、空間は、図５（Ａ）（Ｂ）に示すように、ドアトリム本体４における傘設置面である前側湾曲面４０ａと、前側湾曲面４０ａに対向する対向面４４ａと、前面８１ａと、後面８２ａ（図５（Ａ）に示す）と、底面８３ａと、を有して構成されている。前面８１ａは、前方側壁部８１において仕切り部８２側に位置し、後面８２ａは、仕切り部８２において前方側壁部８１側に位置し、底面８３ａは、底壁８３において開口と対向する位置にある。
【００２１】
また、前側湾曲面４０ａは、図５（Ｂ）に示すように、上下の断面において、下方に向かうに従って、インナパネル３１側（車室外側）に近付くように傾斜して設けられている。さらに、前側湾曲面４０ａには、その下端に、水滴を車室外側に排出するためにインナパネル３１を貫通する排水孔４０が形成されている。排水孔４０から排出された水は、インナパネル３１に形成された排出孔３２を介して、車室外に排出されるようになっている。
【００２２】
前面８１ａは、図４（Ａ）（Ｂ）に示すように、略上下方向に延在する前方側鉛直面８１ａ１と、この前方側鉛直面８１ａ１に連続し、下方に向かうに従って後方に傾斜する前方側傾斜面８１ａ２（傾斜面）と、から構成されている。前方側鉛直面８１ａ１は、前面８１ａの上端から略三分の一程度となる位置まで設けられている。
【００２３】
後面８２ａは、後方側第１鉛直面８２ａ１と、後方側傾斜面８２ａ２と、後方側第１水平面８２ａ３と、後方側第２鉛直面８２ａ４と、後方側第２水平面８２ａ５と、後方側第３鉛直面８２ａ６と、を備えて構成されている。後方側傾斜面８２ａ２は、後方側第１鉛直面８２ａ１の下端に連続されている。後方側第１水平面８２ａ３は、後方側傾斜面８２ａ２（傾斜面）の下端に連続されている。後方側第２鉛直面８２ａ４は、後方側第１水平面８２ａ３の後端に連続されている。後方側第２水平面８２ａ５は、後方側第２鉛直面８２ａ４の下端に連続されている。後方側第３鉛直面８２ａ６は、後方側第２水平面８２ａ５の前端に連続されている。後方側第１水平面８２ａ３と後方側第２水平面８２ａ５とは、上下に対向する位置にある。後方側第１鉛直面８２ａ１は、前方側鉛直面８１ａ１と対向する位置にありかつ略上下方向に延在して設けられている。後方側傾斜面８２ａ２は、下方に向かうに従って後方に傾斜して設けられている。後方側第１水平面８２ａ３は、略水平方向の後方に延在して設けられている。後方側第２鉛直面８２ａ４は、略下方向に延在して設けられている。後方側第２水平面８２ａ５は、略水平方向の前方に延在して設けられている。後方側第３鉛直面８２ａ６は、略下方向に延在して設けられている。
【００２４】
後方側第１鉛直面８２ａ１は、後面８２ａの上端から略三分の一程度となる位置まで設けられ、後方側傾斜面８２ａ２は、その下端が、後面８２ａの上端から略三分の二程度となる位置まで設けられている。また、前方側傾斜面８１ａ２と後方側傾斜面８２ａ２は、前後方向に対向する位置に設けられ、前後方向の距離が、下方に向かうに従って小さくなるように形成されている。即ち、前方側傾斜面８１ａ２及び後方側傾斜面８２ａ２は、「幅狭部」を形成する。この幅狭部は、前方側壁部８１及び仕切り部８２の上下方向の中間部に設けられている。さらに、後方側第１水平面８２ａ３の前後の寸法は、後方側第２水平面８２ａ５の前後の寸法の略２倍程度となるように形成されている。
【００２５】
底面８３ａは、底側前方面８３ａ１と、この底側前方面８３ａ１の後方側に連続される底側後方面８３ａ２と、を有して構成されている。この底面８３ａの前後方向の距離（底側前方面８３ａ１及び底側後方面８３ａ２の前後方向の距離）は、前方側傾斜面８１ａ２及び後方側傾斜面８２ａ２の間隔のうち、最も狭い部分の寸法より大きくなるように形成されている。また、底側前方面８３ａ１及び底側後方面８３ａ２は、その境界が底面８３ａの前後方向の略中心に位置するように設けられている。さらに、底側前方面８３ａ１及び底側後方面８３ａ２は、図４（Ａ）（Ｂ）に示すように、その中心側の各端部が、その中心から離れた各端部よりも下方に位置するように傾斜して設けられている。
【００２６】
また、先端保持部８は、図４（Ａ）（Ｂ）に示すように、後方側傾斜面８２ａ２の上下の略中心に、前後方向に貫通する切欠き８４を有している。図２において、切欠き８４は省略されている。
【００２７】
さらに、先端保持部８は、図３、図４（Ｂ）に示すように、板前端部４４Ａから、ドアトリム本体４に向けて突出して設けられて、傘Ａの車幅方向及び前後方向の移動を規制するためのリブ８５を有している。リブ８５は、仕切り部８２に設けられた切欠き８４の下端から、前方に向かうにしたがって、斜め下方に延在して設けられている。なお、本実施例では、リブ８５は、板前端部４４Ａからドアトリム本体４に向けて突出して設けられていたが、本発明はこれに限定されるものではない。リブは、ドアトリム本体４から板前端部４４Ａに向けて突出して設けられていてもよい。
【００２８】
また、先端保持部８において、ポケット４３の取出し孔４６は、図１、図４（Ｂ）に示すように、周縁の一部である一対の長辺４６ａ、４６ａが、仕切り部８２の後方側第１水平面８２ａ３及び後方側第２水平面８２ａ５それぞれと重なる位置にある。また、取出し孔４６は、同図に示すように、周縁の一部である一対の短辺４６ｂ、４６ｂのうち、後方側の短辺４６ｂが、後方側第２鉛直面８２ａ４と重なる位置にあり、前方側の短辺４６ｂが、前方側傾斜面８１ａ２よりも後方側に位置している。即ち、取出し孔４６は、長辺４６ａの寸法が、底面８３ａ（底壁８３）の前後方向の寸法よりも大きくなるように形成されている。また、取出し孔４６が形成された部分において、前方側壁部８１と仕切り部８２の対向寸法は、取出し孔４６の長辺４６ａの寸法（車両前後方向の寸法）と略等しい寸法になるように形成されている。または、取出し孔４６の長辺４６ａの寸法は、前方側壁部８１と仕切り部８２の対向寸法よりも僅かに大きくなるように形成されていてもよい。
【００２９】
このような先端保持部８は、前方側壁部８１及び仕切り部８２（後方側壁部）が、下方に向かうにしたがって前後方向の後方（一方）に傾斜する前方側傾斜面８１ａ２及び後方側傾斜面８２ａ２（一対の傾斜面）を、前後方向に対向する位置に有している。これによれば、前方側傾斜面８１ａ２及び後方側傾斜面８２ａ２の傾斜に沿って、傘Ａの先端が後方に誘導されるから、前方側壁部８１と仕切り部８２との間で、長尺物の車両前後方向の移動が抑制される。一方、傘Ａよりも小径な杖等の長尺物が、先端保持部８の上方から挿入された場合であっても、長尺物の先端が、前方側傾斜面８１ａ２及び後方側傾斜面８２ａ２の傾斜に沿って、後方に誘導される。従って、径寸法の異なる長尺物であっても、前方側壁部８１と仕切り部８２との間において、車両前後方向の移動が抑制される。即ち、径寸法の異なる長尺物であっても、安定的に保持される。
【００３０】
フック９は、図３、図６（Ａ）（Ｂ）に示すように、傘Ａの軸方向の中間部（先端部以外の部位）を保持するためのものである。フック９は、図６（Ａ）に示すように、略Ｌ字状に設けられ、ドアトリム本体４から突出するとともに後方に向けて延在して設けられている。即ち、フック９は、基端がドアトリム本体４に連続し、自由端である先端が基端の後方に延びている。また、フック９は、傘Ａが後方側から差し込み可能なように、後方が開放されている。
【００３１】
このようなフック９は、傘Ａを、軸が上下に延在する格好で、ドアトリム本体４との間において前方に押し込むことで当該傘Ａを保持する。こうして、傘Ａの中間部が、フック９に保持された状態で、傘Ａの中間部の前方及び左右方向（車幅方向）の移動が制限される。
【００３２】
さらに、ポケット４３には、図２に示すように、先端保持部８の後方に隣接する位置に、ドリンクホルダー１０が設けられている。このドリンクホルダー１０は、図４（Ｂ）に示すように、覆い板４４の一部である板中央部４４Ｂと、ドアトリム本体４の一部でありその上下方向を中心軸とするように湾曲する後側湾曲面４０ｂと、一対の側方側壁部１１と、下方側壁部１２と、を有している。板中央部４４Ｂは、板前端部４４Ａの後方側に位置している。一対の側方側壁部１１は、後側湾曲面４０ｂの前後方向の両端から立設され、下方側壁部１２は、後側湾曲面４０ｂの下端から立設されている。一対の側方側壁部１１及び下方側壁部１２は、仕切り部８２の一部から構成され、上方が開口する略コ字状に設けられている。また、覆い板４４の板前端部４４Ａに設けられたリブ８５には、その後端に延長されて、後方に向かうにしたがって、上方に延在して設けられたリブ延長部８５Ａが設けられている。こうして、ドリンクホルダー１０の下方に、水滴が浸入した場合には、水滴が、リブ延長部８５Ａの後端から切欠き８４を貫通してリブ８５の前端に向けて誘導される。さらに、リブ延長部８５Ａは、リブ８５の補強のために、その一部が、覆い板４４の差込み爪に連続されている。
【００３３】
上述した実施例によれば、先端保持部８は、前方側壁部８１及び仕切り部８２（後方側壁部）が、下方に向かうにしたがって車両前後方向の一方に傾斜する前方側傾斜面８１ａ２及び後方側傾斜面８２ａ２（一対の傾斜面）を、車両前後方向に対向する位置に有している。これによれば、前方側傾斜面８１ａ２及び後方側傾斜面８２ａ２の傾斜に沿って、傘Ａの先端が後方に誘導されるから、前方側壁部８１と仕切り部８２との間で、長尺物の車両前後方向の移動が抑制される。一方、傘Ａよりも小径な杖等の長尺物が、先端保持部８の上方から挿入された場合であっても、長尺物の先端が、前方側傾斜面８１ａ２及び後方側傾斜面８２ａ２の傾斜に沿って、後方に誘導される。従って、径寸法の異なる長尺物であっても、前方側壁部８１と仕切り部８２との間において、車両前後方向の移動が抑制される。即ち、径寸法の異なる長尺物であっても、安定的に保持することができる。
【００３４】
また、前方側傾斜面８１ａ２及び後方側傾斜面８２ａ２（一対の傾斜面）が形成された部分は、前方側壁部８１及び仕切り部８２（後方側壁部）との間隔が、下方に向かうに従って幅狭となる幅狭部を構成している。これによれば、前方側傾斜面８１ａ２及び後方側傾斜面８２ａ２の傾斜に沿って、傘Ａの先端が所定の場所に誘導されるから、前方側壁部８１と仕切り部８２との間で、長尺物の車両前後方向の移動を十分に抑制することができる。
【００３５】
さらに、底面８３ａの前後方向の距離（底側前方面８３ａ１及び底側後方面８３ａ２の前後方向の距離）は、前方側傾斜面８１ａ２及び後方側傾斜面８２ａ２の間隔のうち、最も狭い部分の寸法より大きくなるように形成されている。これによれば、前方側傾斜面８１ａ２及び後方側傾斜面８２ａ２が幅狭部を構成しているにも関わらず、底面８３ａの前後の距離が、幅狭部の最も小さい部分の寸法より大きくなるように形成されている。このため、例えば、先端が太い杖などの長尺物であっても、その先端を、底面８３ａを含む空間に収めて、安定的に保持することができる。
【００３６】
また、前方側壁部８１と仕切り部８２（後方側壁部）との間に、覆い板４４（一方）からドアトリム本体４（他方）に向けて立設するリブ８５が設けられ、リブ８５は、前方側壁部８１に向かうに従って下方に傾斜している。これによれば、リブ８５が形成されていることにより、保持された傘Ａの車幅方向及び前後方向の移動が抑制されつつ、濡れた傘Ａを先端保持部８に保持した場合において、水滴を前方側壁部８１側（前方側）へ誘導することができる。このように、リブ８５が、水滴を前方側へ誘導することにより、排水孔４０から車室外側（ドアパネル３側）へ排水される。即ち、リブ８５により、水滴が前方側に誘導されるから、該水滴が車室内側に浸水することが抑制される。
【００３７】
また、仕切り部８２（後方側壁部）には、車両前後方向に貫通する切欠き８４が設けられ、リブ８５は、切欠き８４の下端を貫通して設けられている。これによれば、仕切り部８２の後方側に水滴が垂れた場合でも、切欠き８４から前方側壁部８１と仕切り部８２との間に水滴が誘導される。
【００３８】
また、覆い板４４には、底壁８３の近傍に、取出し孔４６（貫通孔）が形成されている。これによれば、取出し孔４６から先端保持部８（ホルダー）の内部に手を入れることができ、物を落とした際や、先端保持部８内を清掃する際に活用することができる。
【００３９】
また、先端保持部８は、取出し孔４６が形成された部分において、前方側壁部８１と仕切り部８２の対向寸法が、取出し孔４６の長辺４６ａの寸法（車両前後方向の寸法）と略等しい寸法になるように形成されている。または、取出し孔４６の長辺４６ａの寸法は、前方側壁部８１と仕切り部８２の対向寸法よりも僅かに大きくなるように形成されている。これによれば、取出し孔４６から先端保持部８の内部に手を入れる際に、前方側壁部８１や仕切り部８２に阻まれることなく、底面８３ａに落下した物品を拾ったり、先端保持部８内を清掃することができる。
【００４０】
また、ドアトリム本体４の上端部には、昇降ガラスを突没させるベルトライン２Ａが設けられ、ベルトライン２Ａよりも上方に、傘Ａや杖等の長尺物を視界から遮蔽するための前端部材５（遮蔽部材）が設けられている。これによれば、長尺物が、先端保持部８に保持された状態で、長尺物がベルトライン２Ａから突出する長さであった場合においても、前端部材５が設けられているので、車室外側から見たときに、長尺物を視界から隠すことができる。従って、車両の外観を損ねることがない。
【００４１】
尚、以上に説明した実施形態は本発明の代表的な形態を示したに過ぎず、本発明は、この実施形態に限定されるものではない。即ち、本発明の骨子を逸脱しない範囲で種々変形して実施することができる。かかる変形によってもなお本発明のドアトリム１の構成を具備する限り、勿論、本発明の範疇に含まれるものである。
【００４２】
例えば、先端保持部８（ホルダー）は、前方側壁部８１及び仕切り部８２（後方側壁部）が、前後方向の後方（一方）に向かうにしたがって下方に傾斜する前方側傾斜面８１ａ２及び後方側傾斜面８２ａ２を、前後方向に対向する位置に有している。しかしながら、本発明はこれに限定されるものではない。前方側壁部８１及び仕切り部８２（後方側壁部）が、前後方向（車両前後方向）の下方に向かうにしたがって前方に傾斜する前方側傾斜面８１ａ２及び後方側傾斜面８２ａ２（一対の傾斜面）を、前後方向に対向する位置に有していてもよい。
【００４３】
また、上述した実施例では、幅狭部は、前方側壁部８１及び仕切り部８２の上下方向の中間部に設けられている。しかしながら、本発明はこれに限定されるものではない。幅狭部は、前方側壁部８１及び仕切り部８２の上端部又は下端部に設けられていてもよい。即ち、幅狭部は、前方側壁部８１及び仕切り部８２のうち、上下方向の何れかの位置に設けられていればよい。
【００４４】
また、上述した実施例では、幅狭部を形成するように、前方側傾斜面８１ａ２及び後方側傾斜面８２ａ２が、下方に向かうにしたがって幅狭となるように構成されている。しかしながら、本発明はこれに限定されるものではない。前方側傾斜面８１ａ２及び後方側傾斜面８２ａ２は、前後方向の距離が一定になるように形成されていてもよい。即ち、前方側壁部８１及び仕切り部８２は、幅狭部を有していなくともよい。
【００４５】
また、上述した実施例では、フック９は、傘Ａが後方側から差し込み可能なように、後方が開放されているが、本発明はこれに限定されるものではない。フック９は、傘Ａが前方側から差し込み可能なように、前方が開放されていてもよい。
【００４６】
また、上述した実施例では、傘支持構造７が、運転席から見て、右側に位置するドアにある場合を一例として説明していたが、本発明はこれに限定されるものではない。傘支持構造７が、後部座席の左右に位置する車両用ドアの前方部分に設けられていてもよい。これによれば、側方側からの車両衝突時に、傘Ａ等の長尺物が、乗員に危害を加える虞が少なく、また、車両用シートのサイドエアバックやカーテンエアバックの展開を阻害することを抑制できる。
【００４７】
さらに、図７に示すように、フック９の上方には、ドアトリム本体４から膨出する膨出部９１が設けられていてもよい。即ち、ドアトリム本体４は、図７に示すように断面が、膨出部９１を有する弓形に形成されていてもよい。これによれば、傘Ａがフック９に保持された状態で、傘Ａが、膨出部９１により、フック９側（車室内側）に押されるから、傘Ａの中間部は、フック９に押し付けられる。こうして、フック９により、傘Ａの中間部を、安定的に保持することができる。
【００４８】
また、図７では、膨出部９１は、フック９の上方に設けられているが、本発明はこれに限定されるものではない。膨出部は、フック９の下方に設けられていてもよく、フック９を上下に挟む位置に一対設けられていてもよい。これによれば、傘Ａの中間部が、フック９に保持された状態で、傘Ａが、フック９の上下に位置する一対の膨出部９１、９１により、２箇所でフック９側（車室内側）に押されるから、傘Ａの中間部は、安定的に保持される。
【００４９】
また、上述した各実施例は本発明の好ましい形態を示したに過ぎず、本発明は、実施例に限定されるものではない。即ち、当業者は、従来公知の知見に従い、本発明の骨子を逸脱しない範囲で種々変形して実施することができる。かかる変形によってもなお本発明のドアトリム及び車両用ドアの構成を具備する限り、勿論、本発明の範疇に含まれるものである。
【符号の説明】
【００５０】
１        ドアトリム
２        車両用ドア
２Ａ      ベルトライン
３        ドアパネル
４        ドアトリム本体
５        前端部材（遮蔽部材）
４４      覆い板
４６      取出し孔（貫通孔）
８        先端保持部（ホルダー）
８１      前方側壁部
８１ａ２  前方側傾斜面（一対の傾斜面）
８２      仕切り部（後方側壁部）
８２ａ２  後方側傾斜面（一対の傾斜面）
８３      底壁
８４      切欠き
８５      リブ
９０      フック
９１      膨出部
【図１】
2018024394.tif 000003
【図２】
2018024394.tif 000004
【図３】
2018024394.tif 000005
【図４】
2018024394.tif 000006
【図５】
2018024394.tif 000007
【図６】
2018024394.tif 000008
【図７】
2018024394.tif 000009